【事件の表示】
　平成　６年特許願第２３３５５２号「自動洗髪機」拒絶査定不服審判事件〔平成　７年　７月１８日出願公開、特開平　７−１７７９２４〕について、次のとおり審決する。
【結　論】
　本件審判の請求は、成り立たない。
【理　由】
１．手続の経緯
　
　本願は、平成５年１１月１２日に出願された実願平５−６０８８８号を優先権の基礎として平成６年９月２８日に出願されたものであって、平成１６年２月６日付けで拒絶理由が通知され、これに対して同年４月１２日付けで手続補正がなされ、さらに、同年６月４日付けで最後の拒絶理由が通知され、これに対して同年８月１１日付けで手続補正がなされ、その後、同年１２月１日付けで、前記平成１６年８月１１日付け手続補正についての補正の却下の決定がなされるとともに、拒絶査定がなされたものである。
　
２．平成１６年１２月１日付け補正の却下の決定について
　
（１）審判請求人の主張
　審判請求人は、平成１７年５月２６日付け手続補正書（審判請求理由を補正したもの）第１頁の「（３）本願発明が特許されるべき理由」において、「平成16年８月11日付け手続補正書による請求項２に係る発明は進歩性を有するものであり、独立特許要件を満たすものであるため、当該補正の却下の決定は取り消されるべきものである。」と主張する。
　
　そこで、平成１６年８月１１日付け手続補正により補正された特許請求の範囲の請求項２に係る発明（以下、「本願補正発明」という）が独立特許要件を満たすものであるか（平成１８年改正前特許法第１７条の２第５項で準用する同法第１２６条第５項の規定に適合するか）について以下検討する。
　
（２）本願補正発明
　本願補正発明は、前記平成１６年８月１１日付け手続補正により補正された特許請求の範囲の請求項２に記載されたとおりの次のものと認められる。
　
　「【請求項２】前記緊急停止スイッチは、可撓性のコードに接続され洗髪中の使用者が手に保持して使用可能なものであることを特徴とする請求項１記載の自動洗髪機。」
　
　ここで、前記「請求項１記載の自動洗髪機」は、次のとおりのものである。
　
　「【請求項１】人の頭部を収納可能なボールと、該ボールに備えられた洗浄水等を前記頭部に向けて噴射する洗浄手段と、該洗浄手段の作動を制御する制御手段と、前記ボールに対して開閉自在であって人の顔面だけを外に臨ませる形状を持つカバーと、該カバーに連接され人の額から顎部分に被さるフェイスパッキンを備えた自動洗髪機において、
少なくとも前記洗浄手段の作動を即時に停止させる緊急停止手段を前記制御手段に含ませたものであり、
前記緊急停止手段は、洗髪中の使用者が手に保持して操作可能なスイッチ式の緊急停止スイッチであり、
前記洗浄手段は、適度な温水を供給する流路に接続されたシャワーヘッドを備え、これらのシャワーヘッドに向かう流路のそれぞれに開閉弁が組み込まれ、
前記制御手段は、緊急停止スイッチに接続されたコントローラを備え、緊急停止スイッチが押されるとコントローラは緊急停止スイッチの操作を受けて上記のシャワーヘッドに向かう流路のそれぞれに組み込まれた全ての開閉弁を閉じるほかその他の全ての機能部を停止させるような制御を実行するものであることを特徴とする自動洗髪機。」
　
（３）本願補正発明の優先日
　本願補正発明は、前記のとおり、「前記制御手段は、緊急停止スイッチに接続されたコントローラを備え、緊急停止スイッチが押されるとコントローラは緊急停止スイッチの操作を受けて上記のシャワーヘッドに向かう流路のそれぞれに組み込まれた全ての開閉弁を閉じるほかその他の全ての機能部を停止させるような制御を実行するものである」との発明特定事項を含むものである。
　
　しかし、本願が優先権の基礎とする前記実願平５−６０８８８号の出願当初の明細書には、この発明特定事項に関して、次の記載があるのみである。
　
・「【請求項２】　洗髪中の使用者が操作可能な前記ハンドシャワーの緊急停止スイッチを備えたことを特徴とする請求項１記載のシャワー装置。」
　
・「【００２０】　また、図１及び図２に示す緊急停止スイッチ７は、コード７ａによって図７に示すコントローラ２０に接続されたもので、洗髪している人が手で握っておき、非常の際にはこれを押すことで全ての作動を停止させるためのものである。」
　
・「【００２４】　さらに、シャワーヘッド３，５及びハンドシャワー６に向かう分岐流路のそれぞれに電磁弁を用いた開閉弁３ａ〜３ｉ，５ａ，６ｇを組み込む。」
　
・「【００３３】　また、洗髪中の使用者が操作可能な前記ハンドシャワーの緊急停止スイッチを備えることによって、さらに安全な使用が可能となる。」
　
　すなわち、優先権の基礎とする前記出願の出願当初の明細書には、本願補正発明の発明特定事項である「緊急停止スイッチが押されると、シャワーヘッドに向かう流路のそれぞれに組み込まれた全ての開閉弁を閉じる」点は記載されていない。
　
　したがって、本願補正発明については、優先権の主張を認めることはできない。
　
（４）引用例
ア．原査定の拒絶の理由に引用され、かつ補正の却下の決定に引用された引用文献３（実願平４−６１２６９号（実開平６−２４６０６号）のマイクロフィルム（以下、「引用例１」という。））には、図面とともに、次の記載がある。
　
・「【００１５】
　【実施例】  図１は本考案の自動洗髪機の正面図、図２の（ａ）及び（ｂ）はその平面図及び上部の右側面図である。
　【００１６】
  図において、人が仰向けの姿勢となったときにその後頭部を受ける形状のボール１が床置き式のハウジング２の上端に一体化されている。ボール１は人の頭部を受け入れる程度の大きさを持ち、その上面には人の頭部を受けるカバー１ａを開閉自在に設ける。そして、このカバー１ａには開口１ｂを開けてその開口縁にゴム等を素材としたパッド１ｃを取り付け、このパッド１ｃの中に前頭部までを落とし込むようにして、頭髪部分をボール１の中に臨ませる。
  【００１７】
  ハウジング２の内部には、湯と水を混合してボール１に供給する湯水混合栓や各種のバルブユニット等を配置し、シャンプーやリンス等も別系統で供給できる配管構造を組み込み、ボール１からの排水経路を建屋の配管に接続したものとする。そして、これらの配管系による給水，給湯及びシャンプーやリンス等の供給停止等は、ボール１のリム部分に設けた操作パネル１ｄによって行う。
  【００１８】
  図３はカバー１ａを除いて示すボール１の平面図、図４及び図５はそれぞれ図３のＡ−Ａ線及びＢ−Ｂ線矢視による縦断面図である。
  【００１９】
  ボール１の奥側の底部を深くしてその下端に排水口１ｅを開け、これをハウジング２の中の排水管（図示せず）に接続する。また、ボール１の上面であって操作パネル１ｄの近くにはハンドシャワー１ｆを設ける。このハンドシャワー１ｆは、その基端部に接続したホース（図示せず）をハウジング２の内部に納めたもので、必要に応じて引き出して使えるようにしたものである。
  【００２０】
  ボール１の内壁には複数のシャワーヘッド３とシャンプー及びリンス用のノズルヘッド４を組み込み、更に後部の上端には前頭部用のシャワーヘッド５を備える。」
　
・「【００２４】
  図６はシャワーヘッド３，５及びノズルヘッド４の配管系統を示す概略図である。
  【００２５】
  ハウジング２の内部には、ハンドシャワー１ｆ，シャワーヘッド３，５及びノズルヘッド４にそれぞれ適当な温度の温水を供給する湯水混合栓６を備える。この湯水混合栓６は、従来から知られているサーモスタットミキシングバルブ方式であり、給水源及び給湯源にそれぞれ接続され、止水栓，ストレーナを組み込むと共にシャワーヘッド３，５側に向かう水側及び湯側の流路にそれぞれ逆止弁６ａ，６ｂを備えている。
  【００２６】
  湯水混合栓６からの混合水供給経路６ｃには、ハンドシャワー１ｆ，シャワーヘッド３，５及びノズルヘッド４の全てが接続される。そして、ハンドシャワー１ｆ及びシャワーヘッド３，５に向かう分岐流路のそれぞれに開閉弁１ｇ，３ａ〜３ｉ，５ａを組み込む。また、ハンドシャワー１ｆは混合水供給経路６ｃと２つの分岐流路によって接続され、その一方には前述の開閉弁１ｇと定流量弁１ｈを組み込み、他方には手動操作式の流量調整弁１ｉを設ける。」
　
・「【００３１】
  ここで、湯水混合栓６からの流路系統に設けた各開閉弁１ｇ，３ａ〜３ｉ，５ａ，９，主開閉弁１０，水抜き用開閉弁１１及び捨湯開閉弁１２はいずれも電磁弁式であり、コントローラ２０からの信号によってそれぞれ開閉動作可能としたものである。そして、主開閉弁１０，水抜き用開閉弁１１及び捨湯開閉弁１２はいずれもこれらに至る湯の温度に応じて開閉動作が制御される。この制御のために、湯水混合栓６と捨湯開閉弁１２との間及びハンドシャワー１ｆに分岐する手前の流路のそれぞれに温度センサ１３，１４を設け、更に主開閉弁１０の下流であって空気混入式のシャワーヘッド３の上流に位置する部分にも温度センサ１５を組み込む。」
　
　したがって、引用例１には、次の発明が記載されているものと認められる（以下、「引用例１発明」という。）。
　
　「人の頭部を収納可能なボールと、該ボールに備えられた洗浄水等を前記頭部に向けて噴射する洗浄手段と、該洗浄手段の作動を制御する制御手段と、前記ボールに対して開閉自在であって人の顔面だけを外に臨ませる形状を持つカバーと、該カバーに連接され人の額から顎部分に被さるフェイスパッキンを備えた自動洗髪機において、前記洗浄手段は、適度な温水を供給する流路に接続されたシャワーヘッドを備え、これらのシャワーヘッドに向かう流路のそれぞれに開閉弁が組み込まれ、前記制御手段は、コントローラを備えたものである自動洗髪機。」
　
イ．原査定の拒絶の理由に引用され、かつ補正の却下の決定に引用された引用文献２（実願昭５７−１８５４７４号（実開昭５９−８７７０３号）のマイクロフィルム（以下、「引用例２」という。））には、図面とともに、次の記載がある。
　
・「この考案は改良された洗髪機に係り、洗髪さし乍ら頭皮全面を斑なく均等に洗浄，マッサージすることができる経済的で使用に便利な自動洗髪機を提供したものである。」（第１頁第１８行−第２頁第１行）
　
・「危険回避のための緊急停止操作などは、コントロールパネル部５２のみならず、リモートスイッチ５５によって被洗髪者自身も行えるようになされるのである。」（第１０頁第１３−１６行）
　
・「頭部挿入後は、蓋体１３及び密閉蓋１４を閉塞し、電源スイッチ５９をオンするがこの時はまだ機械は作動しないのであって停止スイッチ６１が点灯するのみであり、この段階までに必ずリモートスイッチ５５を患者に持たせて非常停止の準備をする。」（第１２頁第９−１４）
　
・「作業中仮に不具合が発生するようなことがあっても、オペレータ、患者のいづれかが直ちにリモートスイッチ５５もしくは停止スイッチ６１を押して停止操作を行えるので安全に作業できるのである。」（第１３頁第４−７行）
　
　また、リモートスイッチ５５は、被洗髪者である患者に持たせるものであること、及び、第１図の参照符号５５で示される部材の形状から、可撓性のコードに接続されたものであるといえる。
　
（５）対比
　本願補正発明と引用例１発明とを対比すると、両者は、
　
　「人の頭部を収納可能なボールと、該ボールに備えられた洗浄水等を前記頭部に向けて噴射する洗浄手段と、該洗浄手段の作動を制御する制御手段と、前記ボールに対して開閉自在であって人の顔面だけを外に臨ませる形状を持つカバーと、該カバーに連接され人の額から顎部分に被さるフェイスパッキンを備えた自動洗髪機において、前記洗浄手段は、適度な温水を供給する流路に接続されたシャワーヘッドを備え、これらのシャワーヘッドに向かう流路のそれぞれに開閉弁が組み込まれ、前記制御手段は、コントローラを備えたものである自動洗髪機。」
　
の点で一致し、次の点で相違する。
　
　［相違点］
　本願補正発明では、「少なくとも前記洗浄手段の作動を即時に停止させる緊急停止手段を前記制御手段に含ませたものであり、前記緊急停止手段は、洗髪中の使用者が手に保持して操作可能なスイッチ式の緊急停止スイッチであり、前記制御手段は、緊急停止スイッチに接続されたコントローラを備え、緊急停止スイッチが押されるとコントローラは緊急停止スイッチの操作を受けて上記のシャワーヘッドに向かう流路のそれぞれに組み込まれた全ての開閉弁を閉じるほかその他の全ての機能部を停止させるような制御を実行するものであり、前記緊急停止スイッチは、可撓性のコードに接続され洗髪中の使用者が手に保持して使用可能なものである」のに対して、引用例１発明では、制御手段を備え、制御手段はコントローラを備えるが、緊急停止手段を前記制御手段に含ませたものではない点。
　
（６）相違点についての検討
　引用例２には、自動洗髪機において、作業中に不具合が発生した場合に緊急停止操作を行うリモートスイッチを設けた点、このリモートスイッチは被洗髪者である患者に持たせるものである点、及び、このリモートスイッチは、可撓性のコードに接続されたものである点が記載されている。
　
　また、安全性の観点から、前記緊急停止操作により、洗浄水等の噴射を含む全ての機能を停止することが最も望まれることは、当業者にとって明らかなことである。
　
　さらに、引用例１発明の、シャワーヘッドに向かう流路のそれぞれに組み込まれた開閉弁は、引用例１の前記段落００３１に記載されるように、いずれも電磁弁式であり、コントローラからの信号によってそれぞれ開閉動作可能としたものである。
　
　したがって、引用例１発明において、作業中に不具合が発生した場合に緊急停止操作を行うリモートスイッチを設け、このリモートスイッチを制御手段のコントローラに接続し、このリモートスイッチが操作された場合には、コントローラが前記電磁弁式の開閉弁を全て閉じるようにし、かつ、他の全ての機能を停止させるようにして、前記相違点に係る本願補正発明の構成を採用することは、当業者が容易に想到し得たことである。
　
　そして、本願補正発明の作用効果も、引用例１、２に記載された事項から当業者が予測できた範囲内のものである。
　
（７）むすび
　本願補正発明は、引用例１、２に記載された発明に基づいて、当業者が容易に発明をすることができたものであり、特許法第２９条第２項の規定により、特許を受けることができないものであって、独立特許要件を満たさないものである。
　
　したがって、平成１６年１２月１日付け補正の却下の決定は、適法になされたものであり、取り消されるべきものではない。
　
３．平成１６年１２月１日付け拒絶査定について
　
（１）本願発明
　平成１６年８月１１日付け手続補正に対する同年１２月１日付け補正の却下の決定は、適法になされたものであり、取り消されるべきものでない。
　
　したがって、本願の各請求項に係る発明は、平成１６年４月１２日付け手続補正により補正された特許請求の範囲の各請求項に記載されたとおりの次のものと認められる（以下、請求項１、２，３に係る発明を、それぞれ「本願発明１」、「本願発明２」、「本願発明３」という。）。
　
　「【請求項１】人の頭部を収納可能なボールと、該ボールに備えられた洗浄水等を前記頭部に向けて噴射する洗浄手段と、該洗浄手段の作動を制御する制御手段と、前記ボールに対して開閉自在であって人の顔面だけを外に臨ませる形状を持つカバーと、該カバーに連接され人の額から顎部分に被さるフェイスパッキンを備えた自動洗髪機において、少なくとも前記洗浄手段の作動を即時に停止させる緊急停止手段を前記制御手段に含ませたものであり、前記緊急停止手段は、洗髪中の使用者が手に保持して操作可能なスイッチ式の緊急停止スイッチであることを特徴とする自動洗髪機。」
　
　「【請求項２】前記緊急停止スイッチは、可撓性のコードに接続され洗髪中の使用者が手に保持して使用可能なものであることを特徴とする請求項１記載の自動洗髪機。」
　
　「【請求項３】前記洗浄手段は、適度な温水を供給する流路に接続されたシャワーヘッドを備え、これらのシャワーヘッドに向かう流路のそれぞれに開閉弁が組み込まれ、前記制御手段は、緊急停止スイッチに接続されたコントローラを備え、緊急停止スイッチが押されるとコントローラは緊急停止スイッチの操作を受けて上記の全ての開閉弁を閉じるほかその他の全ての機能部を停止させるような制御を実行するものであることを特徴とする請求項１記載の自動洗髪機。」
　
　ここで、本願発明３は、前記本願補正発明と同様に、「前記制御手段は、緊急停止スイッチに接続されたコントローラを備え、緊急停止スイッチが押されるとコントローラは緊急停止スイッチの操作を受けて上記の全ての開閉弁を閉じるほかその他の全ての機能部を停止させるような制御を実行するものである」との発明特定事項を含むものである。
　
　したがって、本願発明３については、前記本願補正発明と同様に、優先権の主張を認めることはできない。
　
（２）引用例
　引用例、及びその記載事項は前記「２．（４）引用例」に記載したとおりである。
　
（３）対比・判断
　本願発明３は、前記「２．」で検討した本願補正発明から「全ての開閉弁」の限定事項である「シャワーヘッドに向かう流路のそれぞれに組み込まれた」との構成を省いたものである。
　
　そうすると、本願発明３の発明特定事項を全て含み、さらに他の発明特定事項を付加したものに相当する本願補正発明が、前記「２．」に記載したとおり、引用例１、２に記載された発明に基づいて、当業者が容易に発明をすることができたものであるから、本願発明３も、同様の理由により、引用例１、２に記載された発明に基づいて、当業者が容易に発明をすることができたものといえる。
　
（４）むすび
　以上のとおり、本願発明３は、引用例１、２に記載された発明に基づいて、当業者が容易に発明をすることができたものであるから、特許法第２９条第２項の規定により特許を受けることができない。
　
　したがって、本願発明１、２について検討するまでもなく、本願は、拒絶されるべきものであるから、平成１６年１２月１日付け拒絶査定は、適法になされたものであり、取り消されるべきものではない。
　
　よって、結論のとおり審決する。